(57)【要約】【課題】背凭れ部に取り付けられた追加機能部品が直接把持されたときにも追加機能部品の取り付け部分に大きなモーメントが生じにくく、しかも、追加機能部品の取り付け部分が座り心地に悪影響を及ぼすことのない椅子を提供する。【解決手段】背凭れ部６の上方側の端縁に、背凭れ部６の背受け面側に連続する上部壁２５と、上部壁２５の下方に配置される端部壁２２と、を有する開口部２６を設ける。端部壁２２に、ハンガーユニット４８を取付部を設ける。【選択図】図８
2015077339.tif 000002
【特許請求の範囲】
【請求項１】
背凭れ部が、座体を含む椅子本体部に連結される背凭れ支持体と、該背凭れ支持体に支持される背凭れ本体と、を備えて成り、
下端から上方側に立ち上がった前記背凭れ部の上方側の端縁が後方側に向いて延出し、前記背凭れ部の上部背面側に追加機能部品の取付部が設けられた椅子において、
前記背凭れ部の上方側の端縁に、前記背凭れ部の背受け面側に連続する上部壁と、該上部壁の下方に配置される下部壁と、を有する開口部が設けられ、
前記下部壁に前記取付部が設けられていることを特徴とする椅子。
【請求項２】
前記下部壁の下面には下方に突出する下向き片が延設され、
前記取付部には、前記追加機能部品を前記下部壁の上面と前記下向き片の外側面とに嵌合した状態で、前記追加機能部品が締結固定されることを特徴とする請求項１に記載の椅子。
【請求項３】
前記下部壁の下方には、前記下部壁の下面と前記下向き片の内側面とに囲まれた略Ｕ字状部が設けられ、
前記追加機能部品は、前記下部壁の上面と前記下向き片の外側面とに嵌合される部品本体ブロックと、前記略Ｕ字状部内に下方から嵌合される挟持ブロックと、を備え、
前記部品本体ブロックと前記挟持ブロックとは、前記部品本体ブロックを前記下部壁の上面と前記下向き片の外側面とに嵌合し、かつ前記略Ｕ字状部内に前記挟持ブロックを嵌合した状態において、前記取付部を間に挟み込んで相互に締結固定されることを特徴とする請求項２に記載の椅子。
【請求項４】
前記部品本体ブロックと前記挟持ブロックには、相互に当接する位置決め部が設けられていることを特徴とする請求項３に記載の椅子。
【請求項５】
前記下向き片は、前記下部壁の延出端に下方に向かって突設されていることを特徴とする請求項２〜４のいずれか１項に記載の椅子。
【発明の詳細な説明】
【技術分野】
【０００１】
この発明は、背凭れ部に取り付けられる追加機能部品の取付部の構造を改良した椅子に関するものである。
【背景技術】
【０００２】
事務用等として用いられる椅子として、背凭れ部の上方側の端縁を後方側に湾曲させ若しくはＵ状に屈曲させて、背凭れ部を把持し易くしたものがある。
また、事務用等として用いられる椅子には、背凭れ部の背面側に衣服を吊下げるためのハンガーユニットや着座者の頭部を支えるヘッドレスト等の追加機能部品を自由に取り付けられるようにしたものがある。この種の椅子の場合、ハンガーユニットやヘッドレスト等の追加機能部品は背凭れ部のより上端部に近い部分に設置することが望まれる。即ち、ハンガーユニットの場合には、ハンガー部による衣服の吊り下げ位置をより上方にすることにより、衣服が床面に触れるのを防止することができ、ヘッドレストの場合には、支持位置を着座者の頭部に近づけることにより、着座者の頭部をより安定的に支持し易くなる。
【０００３】
背凭れ部の上方側の端縁を把持し易くした前者の椅子においても、背凭れ部のより上端側に近い部分に追加機能部品を取り付け可能にしたものが案出されている（例えば、特許文献１，２参照）。
【０００４】
特許文献１に記載の椅子は、背凭れ部の上方側の端縁に、下方に向かって略Ｕ字状に開口するオーバーハング部が設けられ、そのオーバーハング部の内側に、追加機能部品（ハンガーユニット）の取付部が設けられている。この椅子の場合、追加機能部品の部品本体ブロックから前方に略Ｕ字状に長く延出するブラケットが取り付けられ、そのブラケットの延出端部分がオーバーハング部内に挿入されて取付部に固定されるようになっている。
【０００５】
また、特許文献２に記載の椅子は、背凭れ部のクッション材の内側に連通するインナーシェルの上部空間に取付部が設けられ、追加機能部品がその取付部に固定されるようになっている。
【先行技術文献】
【特許文献】
【０００６】
【特許文献１】特開２０１２−１３５４８９号公報
【特許文献２】特開２０１３−１０３０６９号公報
【発明の概要】
【発明が解決しようとする課題】
【０００７】
しかし、特許文献１に記載の椅子においては、部品本体ブロックから前方に略Ｕ字状に長く延出するブラケットを介して追加機能部品がオーバーハング部内の取付部に固定される構造とされているため、背凭れ部に取り付けられた追加機能部品が、椅子移動等のために直接把持された場合に、ブラケットや取付部に大きなモーメントが作用する。このため、追加機能部品の取付部には大掛かりな補強構造を追加しなければならない。
【０００８】
また、特許文献２に記載の椅子は、追加機能部品の部品本体ブロックと取付部とが近づくために、椅子移動等のために追加機能部品を直接把持しても大きなモーメントが生じにくくなるものの、追加機能部品の取り付け部分がクッション材の内側に入り込む構造であることから、着座者が背凭れ部に強く凭れたときに追加機能部品の取り付け部分の感触が着座者の背中に伝わり易い。
【０００９】
そこでこの発明は、背凭れ部に取り付けられた追加機能部品が直接把持されたときにも追加機能部品の取り付け部分に大きなモーメントが生じにくく、しかも、追加機能部品の取り付け部分が座り心地に悪影響を及ぼすことのない椅子を提供しようとするものである。
【課題を解決するための手段】
【００１０】
この発明に係る椅子では、上記課題を解決するために以下の構成を採用した。
背凭れ部が、座体を含む椅子本体部に連結される背凭れ支持体と、該背凭れ支持体に支持される背凭れ本体と、を備えて成り、下端から上方側に立ち上がった前記背凭れ部の上方側の端縁が後方側に向いて延出し、前記背凭れ部の上部背面側に追加機能部品の取付部が設けられた椅子において、前記背凭れ部の上方側の端縁に、前記背凭れ部の背受け面側に連続する上部壁と、該上部壁の下方に配置される下部壁と、を有する開口部が設けられ、前記下部壁に前記取付部が設けられていることを特徴とするものである。
この発明の場合、背凭れ部の下部壁に取付部が設けられ、その下部壁の取付部に追加機能部品が取り付けられるため、追加機能部品の取り付け部分の前後方向の寸法を短くすることができる。このため、背凭れ部に取り付けられた追加機能部品を把持して椅子の移動等が行われることがあっても、追加機能部品の取り付け部分に大きなモーメントが作用しにくくなる。また、追加機能部品の取付部が背凭れ部の下部壁に設けられ、追加機能部品の取付部が上部壁の厚み方向の範囲内にないことから、着座者が背凭れ部に強く凭れた場合にも、追加機能部品の取り付け部分の感触が着座者に伝わりにくくなる。
【００１１】
前記下部壁の下面には下方に突出する下向き片が延設され、前記取付部には、前記追加機能部品を前記下部壁の上面と前記下向き片の外側面とに嵌合した状態で、前記追加機能部品が締結固定されるようにしても良い。
この場合、追加機能部品が下部壁の上面と下向き片の外側面とに嵌合された状態で、取付部に締結固定されることから、追加機能部品の取付強度を高めることができる。
【００１２】
前記下部壁の下方には、前記下部壁の下面と前記下向き片の内側面とに囲まれた略Ｕ字状部が設けられ、前記追加機能部品は、前記下部壁の上面と前記下向き片の外側面とに嵌合される部品本体ブロックと、前記略Ｕ字状部内に下方から嵌合される挟持ブロックと、を備え、前記部品本体ブロックと前記挟持ブロックとは、前記部品本体ブロックを前記下部壁の上面と前記下向き片の外側面とに嵌合し、かつ前記略Ｕ字状部内に前記挟持ブロックを嵌合した状態において、前記取付部を間に挟み込んで相互に締結固定されるようにしても良い。
この場合、追加機能部品の部品本体ブロックと挟持ブロックが下部壁の上下でそれぞれ嵌合された状態で下部壁に締結固定されるため、追加機能部品を下部壁に安定的に保持させることが可能になり、しかも、下部壁自体の剛性が部品本体ブロックと挟持ブロックの嵌合によって高められることから、追加機能部品から作用するモーメントを剛的に受け止めることも可能になる。
【００１３】
前記部品本体ブロックと前記挟持ブロックには、相互に当接する位置決め部が設けられることが望ましい。
この場合、部品本体ブロックと挟持ブロックを下部壁に上下でそれぞれ嵌合し、その状態で、部品本体ブロックと挟持ブロックを位置決め部によって相互に位置決めすることにより、部品本体ブロック、下部壁、挟持ブロックの三者を正確に位置決めして締結作業を円滑に行うことが可能になる。
【００１４】
前記下向き片は、前記下部壁の延出端に下方に向かって突設されることが望ましい。
この場合、下向き片よりも後方側に突出する部分が存在しないため、下向き片に追加機能部品を容易に取り付けることが可能になる。
【発明の効果】
【００１５】
この発明によれば、背凭れ部の上方側の端縁に、背凭れ部の背受け面側に連続する上部壁と、該上部壁の下方に配置される下部壁と、を有する開口部が設けられ、下部壁に設けられた取付部に追加機能部品が設置可能とされているため、背凭れ部に取り付けられた追加機能部品が直接把持されたときにも追加機能部品の取り付け部分に大きなモーメントが生じにくくなるとともに、追加機能部品の取り付け部分が座り心地に悪影響を及ぼさなくなる。
【図面の簡単な説明】
【００１６】
【図１】この発明の一実施形態の椅子の側面図である。
【図２】この発明の一実施形態の椅子の背面図である。
【図３】この発明の一実施形態の背板の背面図である。
【図４】この発明の一実施形態の背凭れ本体のカバー部材を取り去った背面図である。
【図５】この発明の一実施形態の背凭れ本体の図４のＶ−Ｖ断面に対応する断面図である。
【図６】この発明の一実施形態の椅子の側面図である。
【図７】この発明の一実施形態の椅子の背面図である。
【図８】この発明の一実施形態の椅子の図７のＶＩＩＩ−ＶＩＩＩ断面に対応する断面図である。
【図９】この発明の一実施形態の椅子の追加機能部品の斜視図である。
【図１０】この発明の一実施形態の椅子の追加機能部品の一部の斜視図である。
【発明を実施するための形態】
【００１７】
以下、この発明の一実施形態を図面に基づいて説明する。
なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶものとする。
【００１８】
図１，図２は、この実施形態の椅子１の全体構成を示す側面図と背面図である。
これらの図に示すように、この実施形態の椅子１は、フロアＦ上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背中を支持する背凭れ部６と、を備えている。この実施形態においては、脚部２、支基３、座受部材５、及び、座体４が椅子本体部を構成している。
【００１９】
脚部２は、キャスタ７ａ付きの多岐脚７と、多岐脚７の中央部より起立し昇降機構であるガススプリングを内蔵する脚柱８と、を備え、脚柱８の上端部に支基３が水平方向に回転可能に取り付けられている。支基３には、脚柱８の昇降調整機構と背凭れ部６の傾動調整機構が内蔵されている。背凭れ部６は、側面視略Ｌ字状の背凭れ支持フレーム９（背凭れ支持体）と、背凭れ支持フレーム９の後上部に取り付けられ座体４に着座した着座者の背部を直接支持する背凭れ本体１０と、を備え、背凭れ支持フレーム９の前部下端が支基３内の傾動調整機構に連結されている。
【００２０】
背凭れ部６の背凭れ本体１０は、骨格部を成す背板１１と、背板１１の前面側に配置されるウレタン等から成るクッション材１２（図５参照）と、クッション材１２の外側面と背板１１の外周縁部にかかる部分を覆うシート状の張材１３と、背板１１の裏面側（後面側）を覆うカバー部材１４と、を備えている。この実施形態の場合、クッション材１２は、張材１３の裏面に熱溶着によって一体に接合されている。
【００２１】
図３は、背板１１を裏面側から見た図であり、図４は、カバー部材１４を取り去った背凭れ本体１０を裏面側から見た図、図５は、図４のＶ−Ｖ断面に対応する断面図である。
背板１１は、弾性を有する合成樹脂によって形成されている。背板１１は、正面視では四隅が丸みを帯びた縦長の略長方形状に形成され、その前面側で着座者の腰部から背部に亘る部位を支持し得るようになっている。背板１１は、高さ方向の下から３分の１程度の高さ位置で着座者の腰部付近を支持し、それよりも上方側の領域で着座者の背部付近を支持する。なお、以下では、背板１１のうちの着座者の腰部付近を支持する領域を「腰部支持領域１１ａ」と呼び、それよりも上方側で着座者の背部付近を支持する領域を「背部支持領域１１ｂ」と呼ぶものとする。
【００２２】
背板１１は、側面視で腰部支持領域１１ａが前方側に凸状に湾曲し、その部分が着座する着座者の腰部に最初に接触する膨出領域を構成している。また、背板１１の前面は、上下方向のほぼ全域の水平断面が後方側に凹状に湾曲する形状とされている。この背板１１の前面の凹形状は上下方向で窪み深さが変化しており、腰部支持領域１１ａの上下方向の中間部付近が最も大きく窪んでいる。また、背板１１の外周縁部は裏面側に向かって湾曲し、特に、上方側の縁部１１ｃは端末部が略水平姿勢に近づくように後方側に向かって大きく湾曲している。
なお、図３，図４中の符号９０は、背板１１の腰部支持領域１１ａの上下方向の略中央位置から背部支持領域１１ｂに跨る領域に、背板１１の柔軟な撓み変形を得るために形成されたスリットがある。
【００２３】
背板１１の裏面側には、背板１１の外周形状に略沿うように係止溝１５が環状に形成されている。この係止溝１５は、背板１１の裏面に突設された内側壁部１５ａと外側壁部１５ｂによって形成されている。係止溝１５は、背板１１の外周端部から中央領域側に設定距離離間した位置に設けられている。係止溝１５には、後に詳述するように背板１１を被覆した張材１３の周縁部１３ａが挿入されて係止される。係止溝１５の内側壁部１５ａの適宜ヶ所には、張材１３の周縁部１３ａの抜けを規制するための抜け止め突起１６が突設されている。この実施形態の場合、抜け止め突起１６は、係止溝１５の四隅の角部と、上辺及び下辺の略中央位置に設けられている。
【００２４】
また、背板１１の裏面のうちの、背板１１の左右の側辺と、その側辺に対向する外側壁部１５ｂの間の領域には、背板幅方向に延出して背板１１の側辺と外側壁部１５ｂを連結する複数の補強リブ１７が設けられている。なお、背板１１の水平断面は、腰部支持領域１１ａが最も大きく凹状に窪んでいるため、この凹形状の窪み深さに応じて腰部支持領域１１ａに配置される補強リブ１７の前後方向の突出高さが他の補強リブ１７の突出高さよりも高くなっている。
【００２５】
一方、背板１１の前面と外周縁部を覆う張材１３は、その周縁部１３ａが背板１１の外周縁部で裏面側に折り返され、その状態で周縁部１３ａが締付紐条１８によって窄められて背板１１の裏面側に固定されている。
具体的には、張材１３の周縁部１３ａには、図５に示すように、樹脂製の糸の縫い付けによって連続したリング状の挿通部１９が設けられ、その挿通部１９に締付紐条１８が通されるようになっている。そして、張材１３の周縁部１３ａを背板１１の裏面側に固定する場合には、張材１３の周縁部１３ａを背板１１の裏側に折り返し、その状態で締付紐条１８を内側のループを狭めるように締め込み、図４に示すように、締付紐条１８と張材１３の周縁部１３ａとを、係止溝１５内に入れ込んだ状態で締付紐条１８の端部同士を結束する。こうして、締付紐条１８が結束されると、張材１３の周縁部１３ａが係止溝１５内に固定され、締付紐条１８と周縁部１３ａの係止溝１５からの抜けが抜け止め突起１６によって規制される。
この結果、背板１１の前面と外周縁部を覆った張材１３は、周縁部１３ａが背板１１の裏面側に引き込まれて背板１１の前面側の張力を高められるとともに、背板１１に対する相対位置を固定される。そして、こうして張材１３が背板１１に固定されると、係止溝１５が背板１１の外周形状に略沿って形成されていることから、張材１３の周縁部１３ａは、図４に示すように、背板１１の外周形状と略相似形状をなした状態で固定される。なお、張材１３のうちの背板１１の各角部を覆う部分については、以下、「角部被覆部１３ｂ」と呼ぶものとする。
【００２６】
ところで、背板１１の裏面側を覆うカバー部材１４は、背板１１の裏面側に凹凸嵌合等の適宜手段によって固定される。この実施形態の場合、座体４の後方側から上方に立ち上がる背凭れ支持フレーム９の延出部９ａは、カバー部材１４の前面側に締結固定されている。背凭れ支持フレーム９の延出部９ａの前方側は背板１１によって覆われている。この実施形態では、カバー部材１４は、背凭れ支持フレーム９とともに着座者からの入力荷重を支える強度部材としても機能するため、剛性の高い合成樹脂によって形成されている。
なお、カバー部材１４は必ずしも強度部材でなくても良く、その場合には、背板１１を直接背凭れ支持フレーム９に連結すれば良い。
【００２７】
カバー部材１４は、図２に示すように、中央領域から張材１３の四隅の角部被覆部１３ｂ方向に中央側から延出して、各角部被覆部１３ｂの裏面側を覆う４つの張り出し部２０と、左側上下の張り出し部２０の間と右側上下の張り出し部２０の間にあって、上下の張り出し部２０を結ぶ仮想直線Ｌ１に対して背凭れ幅方向の内側に凹状に窪む２つの凹部２１と、を備えている。この実施形態の場合、カバー部材１４の左右の凹部２１は、背板１１の腰部支持領域１１ａの前方側に膨出する部分に対応する位置に設けられている。カバー部材１４の凹部２１は、上下の張り出し部２０に比較して幅方向内側に窪んでいるが、この凹部２１の縁部は少なくとも張材１３の周縁部１３ａの裏面側を覆うようになっている。
【００２８】
また、カバー部材１４の上端部には、後部下方に向かって略Ｌ字状に湾曲した把持ブロック５０が一体に延設されている。この把持ブロック５０は、カバー部材１４の上辺の幅方向のほぼ全域に亘って形成されている。把持ブロック５０は、湾曲部分の内側に下方から指先を掛けることにより、椅子１の移動時等に背凭れ部６を容易に把持できるようになっている。また、把持ブロック５０には、後に詳述するように追加機能部品であるハンガーユニット４８（図６以下の図面参照。）を自由に取り付けられるようになっている。
【００２９】
図６，図７は、ハンガーユニット４８が取り付けられた椅子１の側面図と、背凭れ部６の背面図であり、図８は、図７のＶＩＩＩ−ＶＩＩＩ断面に対応する断面図である。また、図９，図１０は、ハンガーユニット４８の全体を示す斜視図と一部の部品を示す斜視図である。
図６〜図８に示すように、把持ブロック５０は、カバー部材１４の上端部から後方に向かって略水平に延出する端部壁２２（下部壁）と、端部壁２２の後部側の延出端から若干後方に傾斜して下方に延出する下向き片２３と、端部壁２２の延出端から上方側に向かって突出する突片２４と、を備えている。図８に示すように、把持ブロック５０の端部壁２２の上方側には、背板１１の上方側の延出部９ａが、後方側に緩やかに湾曲しつつ張り出している。また、背板１１の上方側の延出部９ａの裏面側には、図８に示すように、背板１１の前面側を覆うクッション材１２と張材１３の端縁が折り返されて配置されている。この実施形態では、背板１１の上方側の延出部９ａと、その延出部９ａを覆うクッション材１２と張材１３の端縁とが、背凭れ部６の背受面に連続する上部壁２５を構成している。
なお、この実施形態においては、上部壁２５とカバー部材１４の把持ブロック５０とによって背凭れ部６の上方側の端縁が構成されている。
【００３０】
上部壁２５と、その下方に配置される端部壁２２の間には、後方側に向かって開口する開口部２６が形成されている。把持ブロック５０の端部壁２２の背凭れ幅方向の略中央位置には、上下方向に貫通する複数の締結孔２７が形成されている。この締結孔２７部分には、ハンガーユニット４８が締結固定されるようになっている。なお、この実施形態においては、端部壁２２のうちの、背凭れ幅方向の略中央の締結孔２７とその周縁部の領域が追加機能部品の取付部を構成している。
【００３１】
ハンガーユニット４８は、ハンガー２８とホルダ２９とから成る本体ブロック３０と、本体ブロック３０とともにカバー部材１４の端部壁２２に締結固定される挟持ブロック３１と、を備えている。
ハンガー２８は、椅子１に取り付けられた状態で背凭れ幅方向に水平に延出する衣服吊り下げ部３２と、衣服吊り下げ部３２の延出方向の中央から下方に突出するロッド部３３と、を有している。
【００３２】
ホルダ２９は、ハンガー２８のロッド部３３が昇降自在に挿入されるガイド筒部３４と、ガイド筒部３４に挿入されたロッド部３３が最大上昇位置まで移動したときにロッド部３３をガイド筒部３４に固定する図示しないロック機構と、ロック機構によるロッド部３３の固定を解除する解除ボタン３５と、ガイド筒部３４に連設されてカバー部材１４側の把持ブロック５０の上部に嵌合される嵌合片３６と、を備えている。嵌合片３６には、その下面側にカバー部材１４側の端部壁２２の上面と、下向き片２３の後部面と、突片２４とに跨って嵌合される嵌合溝４５が設けられるとともに、その嵌合溝４５に臨むように、端部壁２２側の締結孔２７に対応するボルト挿通孔３７が設けられている。また、嵌合片３６の内部にはボルト挿通孔３７を通して挿入されたボルト３８の先端部が螺合されるナット３９が固定されている。
【００３３】
ここで、カバー部材１４の上縁部においては、カバー部材１４の一般部の上部の後面と、把持ブロック５０の端部壁２２の下面と、把持ブロック５０の下向き片２３の前面と、に囲まれて略Ｕ字状部４０が形成されている。
挟持ブロック３１は、略Ｕ字状部４０内に下方側から嵌合される上方膨出部４１と、上方膨出部４１に連設されて下向き片２３の下端とホルダ２９の前面とに当接する係止突部４２、とを備えている。上方膨出部４１の下面には凹部４３が設けられ、その凹部４３の底面側にボルト挿通孔４４が形成されている。ボルト挿通孔４４には、ハンガーユニット４８をカバー部材１４の上部に締結固定するためのボルト３８が下方側から挿入されるようになっている。
また、本体ブロック３０のホルダ２９と挟持ブロック３１の間には、相互に凹凸嵌合して位置決めされる図示しない位置決め部が設けられている。
【００３４】
ところで、ハンガーユニット４８は、ホルダ２９の嵌合片３６がカバー部材１４側の端部壁２２の上面に重ねられてその端部壁２２に固定されるが、背凭れ部６の上方側の縁部に配置される上部壁２５と端部壁２２とは、ハンガーユニット４８が端部壁２２に取り付けられたときに、上部壁２５がハンガーユニット４８と離間するように（非接触となるように）形成されている。
【００３５】
実際に、ハンガーユニット４８を背凭れ部６の上部背面側に取り付ける場合には、本体ブロック３０の嵌合片３６の前端部を背凭れ部６の後方側から上部壁２５と端部壁２２の間の開口部２６内に挿し込み、嵌合片３６の嵌合溝４５を端部壁２２の上面と下向き片２３の後面と突片２４とに嵌合する。次に、この状態から端部壁２２の下方側の略Ｕ字状部４０に挟持ブロック３１の上方膨出部４１を下方側から嵌合し、挟持ブロック３１の係止突部４２を下向き片２３の下端と本体ブロック３０のガイド筒部３４の前面とに当接させる。このとき、本体ブロック３０と挟持ブロック３１が位置決め部４９によって相互に位置決めされる。この状態において、挟持ブロック３１の下方側からボルト挿通孔４４と、端部壁２２の締結孔２７と、本体ブロック３０のボルト挿通孔３７とにボルト３８の先端部を挿し込み、ボルト３８の先端部を本体ブロック３０内のナット３９に締め込む。これにより、本体ブロック３０と挟持ブロック３１が端部壁２２の上下に重ねられた状態において、三者が一体となって締結固定されることになる。
この結果、ハンガーユニット４８は、背凭れ部６の上部壁２５と非接触の状態において、カバー部材１４上の端部壁２２に取り付けられる。
【００３６】
以上のように、この実施形態に係る椅子１においては、背凭れ部６の背受け面に連続する上部壁２５の下方に、カバー部材１４側の把持ブロック５０の端部壁２２が開口部２６を介して配置され、ハンガーユニット４８が把持ブロック５０の端部壁２２に締結固定されるようになっているため、ハンガーユニット４８の取り付け部分の前後方向の寸法が短くなり、その結果、椅子１の移動等のためにハンガーユニット４８が直接把持されたときにも、ハンガーユニット４８の取り付け部分に大きなモーメントが生じにくくなる。さらに、この椅子１においては、ハンガーユニット４８が上部壁２５と非接触となるように端部壁２２に締結固定されることから、着座者が背凭れ部６に強く凭れた場合にも、ハンガーユニット４８の取り付け部分の感触が上部壁２５を通して着座者に伝わりにくくなる。したがって、この椅子１においては、着座者の座り心地が良好なものとなる。
なお、ハンガーユニット４８（追加機能部品）は、必ずしも上部壁２５に対して非接触である必要はなく、ハンガーユニット４８の取付部分が上部壁２５の厚み方向の範囲内になければ良い。
【００３７】
また、この実施形態の椅子１では、把持ブロック５０の端部壁２２の下面側に下方に突出する下向き片２３が延設され、ハンガーユニット４８が端部壁２２の上面と下向き片２３の後面とに嵌合した状態で、端部壁２２に締結固定されるため、ハンガーユニット４８の取付強度が高まる。特に、この実施形態の場合、端部壁２２の上面側に突出して嵌合溝４５に嵌合される突片２４が延設されているため、ハンガーユニット４８を把持ブロック５０により安定的に支持させることができる。
【００３８】
さらに、この実施形態の椅子１においては、把持ブロック５０の端部壁２２の下方側に、カバー部材１４の一般部の後面と端部壁２２の下面と下向き片２３の内側面とに囲まれた略Ｕ字状部４０が設けられ、その略Ｕ字状部４０内に挟持ブロック３１が嵌合されるようになっているため、本体ブロック３０と挟持ブロック３１とを端部壁２２の上方側と下方側にそれぞれ嵌合した状態で端部壁２２に締結固定することができる。このため、ハンガーユニット４８を端部壁２２に安定的にかつ強固に固定することが可能になるとともに、端部壁２２自体の剛性も本体ブロック３０と挟持ブロック３１とによって高められ、ハンガーユニット４８から作用するモーメントをより剛的に受け止めることが可能になる。
なお、挟持ブロック３１は、必ずしも設ける必要はなく、本体ブロック３０の嵌合片３６を単独で端部壁に締結固定するようにしても良い。
【００３９】
また、この実施形態では、ハンガーユニット４８の本体ブロック３０と挟持ブロック３１に、相互に当接する位置決め部４９が設けられているため、ボルト３８による締結前に本体ブロック３０と挟持ブロック３１とを位置決め部４９によって相互に位置決めしておくことにより、本体ブロック３０と端部壁２２と挟持ブロック３１とを正確に位置決めしてボルト３８の挿入を容易にすることができる。したがって、締結作業を円滑に行うことができる。
【００４０】
また、この実施形態においては、下向き片２３が端部壁２２の後方側の突出端に下方に向かって突設され、下向き片２３よりも後方側に突出する部分が存在しないため、下向き片２３にハンガーユニット４８を容易に係合させることができる。したがって、ハンガーユニット４８の取付け作業性が良好となる。
【００４１】
なお、この発明は上記の実施形態に限定されるものではなく、その要旨を逸脱しない範囲で種々の設計変更が可能である。例えば、上記の実施形態においては、追加機能部品であるハンガーユニットの本体ブロックが端部壁（下部壁）の上面と下向き片の外面に上方側から嵌合され、挟持ブロックが端部壁（下部壁）の下方から略Ｕ字状部に嵌合される構造を採用しているが、逆に、挟持ブロックが端部壁（下部壁）の上面と下向き片の外面に上方側から嵌合され、本体ブロックが端部壁（下部壁）の下方から略Ｕ字状部内に嵌合されるようにしても良い。
また、上記の実施形態は、追加機能部品がハンガーユニットである実施形態であるが、追加機能部品はハンガーユニットに限らずヘッドレスト等のその他のものであっても良い。
【符号の説明】
【００４２】
４  座体
６  背凭れ部
９  背凭れ支持フレーム（背凭れ支持体）
１０  背凭れ本体
２２  端部壁（下部壁）
２３  下向き片
２５  上部壁
２６  開口部
２７  締結孔（取付部）
３０  本体ブロック（部品本体ブロック）
３１  挟持ブロック
４８  ハンガーユニット（追加機能部品）
【図１】
2015077339.tif 000003
【図２】
2015077339.tif 000004
【図３】
2015077339.tif 000005
【図４】
2015077339.tif 000006
【図５】
2015077339.tif 000007
【図６】
2015077339.tif 000008
【図７】
2015077339.tif 000009
【図８】
2015077339.tif 000010
【図９】
2015077339.tif 000011
【図１０】
2015077339.tif 000012